(57)【特許請求の範囲】
【請求項１】
自発光する能動型マーカー、又は外部から照射された光を反射する受動型マーカーにて成るマーク部材の位置を計測するための光学式位置計測装置であって、
前記マーク部材からの光を検出して撮像するイメージセンサを有する光検出器を所定間隔を置いて複数配置し、隣接する光検出器によって前記マーク部材の位置を異なる方位から撮像可能にし、
前記各光検出器は、水平軸又は垂直軸の少なくとも一方の軸を中心に同期して同じ向きに回動可能とし、前記マーク部材を含む測定環境を所定の角度範囲に拡大して撮像するようにしたことを特徴とする光学式位置計測装置。
【請求項２】
前記各光検出器は、水平軸又は垂直軸の少なくとも一方の軸を中心に所定の角度範囲内を同期して往復運動することを特徴とする請求項１記載の光学式位置計測装置。
【請求項３】
前記各光検出器は、水平軸又は垂直軸の少なくとも一方の軸を中心に同期して連続回転することを特徴とする請求項１記載の光学式位置計測装置。
【請求項４】
前記マーク部材は外周に再帰性塗料が塗布された反射型マーカーで構成され、前記各光検出器は、それぞれのイメージセンサの受光面を囲むように配置した赤外線光源を有し、前記赤外線光源からの赤外光を前記マーク部材に照射し、マーク部材で反射した光を前記イメージセンサで撮像することを特徴とする請求項１記載の光学式位置計測装置。
【請求項５】
前記隣接する光検出器間に干渉防止用の遮光板を設けたことを特徴とする請求項１記載の光学式位置計測装置。
【請求項６】
外部から照射された光を反射する受動型マーカーにて成るマーク部材の位置を複数の位置計測器を用いて計測する光学式位置計測装置であって、
前記各位置計測器は、前記マーク部材からの光を検出して撮像するイメージセンサと該イメージセンサの受光面を囲むように配置した赤外線光源とを含む光検出器を所定間隔を置いて複数配置し、隣接する光検出器の各赤外線光源から放射される赤外光によって前記マーク部材を照射しその反射光を前記イメージセンサで撮像可能にし、
前記各位置計測器は、前記イメージセンサで受光可能な赤外線波長帯域がそれぞれの位置計測器毎に異なるようにしたことを特徴とする光学式位置計測装置。
【請求項７】
前記各位置計測器の前記赤外線光源から放射する赤外光の波長帯域が、位置計測器毎にそれぞれ異なることを特徴とする請求項６記載の光学式位置計測装置。
【請求項８】
前記各光検出器の前記イメージセンサの受光面にそれぞれ光学フィルタを設け、前記光学フィルタを通過する赤外光の波長帯域が位置計測器毎にそれぞれ異なることを特徴とする請求項６記載の光学式位置計測装置。
【請求項９】
自発光する能動型マーカー、又は外部から照射された光を反射する受動型マーカーにて成るマーク部材の位置を複数の位置計測器を用いて計測する光学式位置計測装置であって、
前記各位置計測器は、前記マーク部材からの光を検出して撮像するイメージセンサを含む光検出器を所定間隔を置いて複数配置し、隣接する光検出器によって前記マーク部材の位置を異なる方位から撮像可能にし、
前記各位置検出装置は、前記イメージセンサでの受光動作タイミングが位置計測器毎にそれぞれ異なるようにしたことを特徴とする光学式位置計測装置。
【請求項１０】
外部から照射された光を反射する受動型マーカーにて成るマーク部材の位置を複数の位置計測器を用いて計測する光学式位置計測装置であって、
前記各位置計測器は、前記マーク部材からの光を検出して撮像するイメージセンサと該イメージセンサの受光面を囲むように配置した赤外線光源とを含む光検出器を所定間隔を置いて複数配置するとともに、それぞれの位置計測器毎に固有のマーカーを設けて成り、
各位置計測器の前記赤外線光源から赤外光によって前記マーク部材及び前記固有のマーカーを照射し、その反射光を前記イメージセンサで撮像して前記マーク部材の位置を計測するとともに、前記固有のマーカー位置を計測してそれぞれの位置計測器の相互位置関係を特定可能にしたことを特徴とする光学式位置計測装置。
【請求項１１】
前記特定のマーカーは、それぞれの位置計測器の位置と方向を特定可能な複数のマーカーツールで構成したことを特徴とする請求項１０記載の光学式位置計測装置。
【発明の詳細な説明】
【技術分野】
【０００１】
本発明は外科手術をサポートするナビゲーションシステム等に使用できる光学式位置計測装置に係り、被検体に付されたマーカー等の位置を計測する上で計測領域の拡大を図り計測領域の死角を減少した光学式の位置計測装置に関するものである。
【背景技術】
【０００２】
従来、医用分野においては医用画像診断装置を用いて被検体の断層画像を撮影し、画像処理することで三次元画像等を取得し、医用診断を行うようにしている。医用画像診断装置としては、例えばＸ線ＣＴ装置（Ｘ線コンピュータトモグラフィ装置）、ＭＲＩ装置（磁気共鳴イメージング装置）、Ｘ線撮影装置等が一般的に用いられている。
【０００３】
また、医用画像診断装置で撮影した画像は、手術ナビゲーションシステムにも利用されている。手術ナビゲーションシステムは、被検体の患部に複数のマーカーを付し、このマーカーの位置を位置検出装置によって検出し、検出結果からマーカーの位置座標を求め、医用画像診断装置で取得した三次元画像におけるマーカー映像と上記位置座標とから、両者の対応付けを行い手術に必要な画像を術者が見る方向から提示することによって、手術の支援を行なうものである。
【０００４】
特許文献１には、位置検出装置とＭＲＩ等の医用画像診断装置を利用した手術支援システムが記載されており、被検体の患部に付したマーカーを位置検出装置で検出し、検出したマーカーの実空間における位置とＭＲＩで取得した画像データにおけるマーカーの位置とを対応付けする例が示されている。
【０００５】
このような位置計測装置の原理は、計測装置本体に所定の間隔で左右にイメージセンサを配置し、これらイメージセンサで撮影した２枚の画像と、それに写り込んでいるマーカーの情報と、左右のイメージセンサの瞳間隔の情報から、マーカーの３次元位置情報を計算して求めるものである。
【０００６】
一方、このような位置計測装置は、マーカーが自発光型か反射型かの違いによって２種類に大別される。自発光型のマーカーは、例えば赤外線ＬＥＤなどを使い、外部電源で点滅可能にしたものである。自発光型のマーカーを使った位置計測装置では、点滅するマーカーからの赤外光をセンサで検出するようにしている。また、反射型マーカーは、例えば再帰性塗料を塗布した反射球が用いられている。反射型マーカーを使った位置計測装置では、計測装置側に赤外線光源を設け、赤外線光源からの赤外光をマーカーに当て、マーカーで反射して戻る赤外光をセンサで検出するようにしている。
【０００７】
ところで、従来の光学式位置計測装置は、一般的に１台だけで使用することを前提としているため、手術室などの込み入った場所で使おうとすると、どうしても死角が発生するという問題があった。そこで検出の対象物を取り囲むように複数台の位置計測装置を配置して同時に計測することも考えられるが、どの測定タイミングにどの位置計測装置が計測しているかを特定することが難しく、また、誤認識によって混信を生じてしまうことがあった。
【０００８】
例えば、第１の位置計測装置の赤外線光源によって照らされたマーカー以外の物体（術具等）からの反射光を、第２の位置計測装置がマーカーから反射して戻った光線と間違えて検出してしまい、位置計測が正常に行われないといった問題が生じる。さらに、複数台の位置計測装置を使う場合、対象物体を取り囲むようにそれぞれの計測領域をオーバーラップさせておく必要があり、設置位置に関する制約条件が厳しくなるという欠点があった。
【特許文献１】特開２００３−８８５０８号公報
【発明の開示】
【発明が解決しようとする課題】
【０００９】
従来の光学式位置計測装置や、特許文献１に示す手術支援システムで使用される位置検出装置では、一般的に１台だけで使用することを前提としているため、どうしても死角が発生するという問題があった。また、死角をなくすため複数台の光学式位置計測装置を配置して同時計測する場合は誤認識を生じたり、各位置計測装置の設置位置に関する制約条件が厳しくなるという欠点があった。
【００１０】
本発明は、死角を減らすことができ、かつ複数台の位置計測装置を用いた場合でも誤認識を低減することができる光学式位置測定装置を提供することを目的とする。
【課題を解決するための手段】
【００１２】
請求項１記載の本発明の光学式位置計測装置は、自発光する能動型マーカー、又は外部から照射された光を反射する受動型マーカーにて成るマーク部材の位置を計測するための光学式位置計測装置であって、前記マーク部材からの光を検出して撮像するイメージセンサを有する光検出器を所定間隔を置いて複数配置し、隣接する光検出器によって前記マーク部材の位置を異なる方位から撮像可能にし、前記各光検出器は、水平軸又は垂直軸の少なくとも一方の軸を中心に同期して同じ向きに回動可能とし、前記マーク部材を含む測定環境を所定の角度範囲に拡大して撮像するようにしたことを特徴とする。
【００１３】
また、請求項６記載の本発明の光学式位置計測装置は、外部から照射された光を反射する受動型マーカーにて成るマーク部材の位置を複数の位置計測器を用いて計測する光学式位置計測装置であって、前記各位置計測器は、前記マーク部材からの光を検出して撮像するイメージセンサと該イメージセンサの受光面を囲むように配置した赤外線光源とを含む光検出器を所定間隔を置いて複数配置し、隣接する光検出器の各赤外線光源から放射される赤外光によって前記マーク部材を照射しその反射光を前記イメージセンサで撮像可能にし、前記各位置計測器は、前記イメージセンサで受光可能な赤外線波長帯域がそれぞれの位置計測器毎に異なるようにしたことを特徴とする。
【００１４】
また、請求項９記載の本発明の光学式位置計測装置は、自発光する能動型マーカー、又は外部から照射された光を反射する受動型マーカーにて成るマーク部材の位置を複数の位置計測器を用いて計測する光学式位置計測装置であって、前記各位置計測器は、前記マーク部材からの光を検出して撮像するイメージセンサを含む光検出器を所定間隔を置いて複数配置し、隣接する光検出器によって前記マーク部材の位置を異なる方位から撮像可能にし、前記各位置検出装置は、前記イメージセンサでの受光動作タイミングが位置計測器毎にそれぞれ異なるようにしたことを特徴とする。
【００１５】
さらに、請求項１０記載の本発明の光学式位置計測装置は、外部から照射された光を反射する受動型マーカーにて成るマーク部材の位置を複数の位置計測器を用いて計測する光学式位置計測装置であって、前記各位置計測器は、前記マーク部材からの光を検出して撮像するイメージセンサと該イメージセンサの受光面を囲むように配置した赤外線光源とを含む光検出器を所定間隔を置いて複数配置するとともに、それぞれの位置計測器毎に固有のマーカーを設けて成り、各位置計測器の前記赤外線光源から赤外光によって前記マーク部材及び前記固有のマーカーを照射し、その反射光を前記イメージセンサで撮像して前記マーク部材の位置を計測するとともに、前記固有のマーカー位置を計測してそれぞれの位置計測器の相互位置関係を特定可能にしたことを特徴とする。
【発明の効果】
【００１６】
本発明によれば、マーク部材の位置を計測する際に死角を減らすことができ、かつ複数台の位置計測装置を用いた場合でも誤認識を低減することができる光学式位置計測装置を提供することができる。
【発明を実施するための最良の形態】
【００１７】
以下、この発明の光学式位置計測装置の実施形態について図面を参照して詳細に説明する。
【実施例１】
【００１８】
図１は本発明の光学式位置計測装置の一実施の形態を示す正面図であり、図２は平面図を示している。尚、本実施形態では、マーク部材として反射型のマーカー２０（受動型マーカー）を使用する例を示している。
【００１９】
図１の光学式位置計測装置１０は、支持台１１と、支持台１１を支えるスタンド１２と、支持台１１の左右に所定間隔を置いて配置された光検出器１３Ｌ，１３Ｒと、光検出器１３Ｌと１３Ｒの間に配置した遮光板１４を有している。
【００２０】
光検出器１３Ｌと１３Ｒは同一の構成であり、それぞれＣＣＤ、Ｃ−ＭＯＳ等で成るイメージセンサ１５と、イメージセンサ１５の受光部周辺を取り囲むように配置した赤外線ＬＥＤ等からなる赤外線光源１６と、イメージセンサ１５の受光面に設けた光学フィルタ１７と、イメージセンサ１５に対向して配置した双曲面ミラー１８とで構成されている。
【００２１】
赤外線光源１６から放射された赤外光は双曲面ミラー１８で反射され、計測領域のほぼ全域を照らし、図２で示すように、放射された赤外線は計測領域内に置かれた反射マーカー２０で反射され、再び双曲面ミラー１８を経由してイメージセンサ１５に戻ってくる。反射型マーカー２０は、例えば再帰性塗料が塗布された球体であり、光が照射されると照射された方向に光を反射する。再帰性塗料としては、アルミなどのガラス小球を混合させた塗料を使用し、マーカー２０を対象物（例えば被検体の頭部）に固着させることで、光学式位置計測装置１０とマーカー２０間の位置関係がリアルタイムに計測される。反射型マーカーの場合は電力を外部から供給する必要がない。
【００２２】
双曲線ミラー１８は、図３に示すように、透光性の円筒状筐体１８１内に取り付けられ、円筒状筐体１８１の軸方向(Ｚ軸方向)に沿った断面の曲線が双曲線となる凸面鏡であり、一度の撮影で全方位（３６０度）の画像を撮影でき、双曲線ミラー１８を使用することにより、一点の視点から見込んだ画像を得ることができる。イメージセンサ１５で撮影された画像は、図４（ａ）で示す丸画像となるが、透視投影変換を行うことで、人の視点と同様に一点から或るものを見た場合の画像、即ち図４（ｂ）に示す透視投影変換画像に変換することができ、図３の二次元領域ｐの画像を得ることができる。また変換アルゴリズムを変えれば、同じ画像データから図４（ｃ）に示すようなパノラマ画像に変換することも可能である。
【００２３】
また、左右のイメージセンサ１５で得られた２枚の画像と、双曲面の焦点間距離に関する先験情報等から光学式位置計測装置１０のアルゴリズムに従ってマーカー２０の３次元位置情報が計算される。
【００２４】
このような光学式位置計測装置１０を手術ナビゲーションシステムに応用した場合、被検体の患部に付した複数のマーカーの位置を位置検出装置によって検出し、検出結果からマーカーの位置座標を求め、医用画像診断装置で取得した三次元画像におけるマーカー映像と上記位置座標とから、両者の対応付けを行い手術を進行することができる。また、複数のマーカーで患部の観察視野を指定し、指定した視野内を手術顕微鏡で観察しながら手術を進めることもできる。
【００２５】
尚、遮蔽板１４は、光検出器１３Ｌと１３Ｒの干渉を防止するものであり、赤外線光源１６からの赤外光を反射しないように黒色のつや消し塗装とするか、サンドブラスト等の表面処理により赤外線が乱反射するような処理を付しておく必要がある。
【００２６】
このように、本発明の光学式位置計測装置は、双曲面ミラー１８を付加することで計測領域の拡大が可能となり、計測領域を見込む視野角を垂直・水平方向に広げることができる。さらに垂直視野角はさほど変えずに水平視野角をほぼ３６０度にすることもでき、位置計測する際の死角を減らすことができる。但し、ピクセル数が大きいイメージセンサ１５を使う必要がある。
【００２７】
尚、図１，２の実施形態では、マーク部材として反射型マーカー２０を用いる場合を説明したが、自発光型のマーカー（能動型マーカー）を利用することも可能である。自発光型のマーカーとしては、通常自然界に殆ど存在しない赤外線（近赤外線が望ましい）を使うことで誤認識を大幅に低減することができるため、赤外線ＬＥＤなどを内蔵したマーカーを用いると良い。自発光型のマーカーを用いた場合、イメージセンサ１５は赤外線だけを感知するＣＣＤまたはＣ−ＭＯＳセンサを使用する。この場合、マーカーに外部から電力を供給する必要があるが、図１，図２の赤外線光源１６は不要となる。
【００２８】
マーク部材として、反射型マーカー又は自発光型マーカーのいずれを使用した場合であっても、１台の光学式位置計測装置には２個以上のイメージセンサが搭載され、それぞれにイメージセンサから出力される視線方向が異なる複数枚の画像と、それぞれの画像上で同一のマーカーがどう対応しているかという先験情報から、位置計測装置からマーカーまでの相対位置関係をリアルタイムに計測することができる。
【実施例２】
【００２９】
次に本発明の光学式位置計測装置の第２の実施形態を図５，図６を参照して説明する。図５の光学式位置計測装置１０は、支持台１１と、支持台１１を支えるスタンド１２と、支持台１１の左右に配置された光検出器１３Ｌ，１３Ｒと、光検出器１３Ｌと１３Ｒの間に配置した遮光板１４を有している。
【００３０】
光検出器１３Ｌと１３Ｒは同一の構成であり、図５の円内に拡大して示すように、それぞれＣＣＤ、Ｃ−ＭＯＳ等で成るイメージセンサ１５と、イメージセンサ１５の受光部周辺を取り囲むように配置した赤外線ＬＥＤ等からなる赤外線光源１６と、イメージセンサ１５の受光面に設けた光学フィルタ１７と、イメージセンサ１５に対向して配置した魚眼レンズ１９とで構成されている。
【００３１】
魚眼レンズ１９は、赤外線を透過するものであり、赤外線光源１６から放射された赤外光は、図５で示すように、計測領域内に置かれた反射マーカー２０で反射され、反射光は魚眼レンズ１９を介してイメージセンサ１５で検出される。反射型マーカー２０は、図２と同様の再帰性塗料が塗布された球体である。
【００３２】
魚眼レンズ１９としては、歪画像を元の歪の無い画像に変換する都合から一対一写像になっている必要があり、歪画像であっても必ず一点の瞳から見込んだ画像になっていることが重要である。
【００３３】
魚眼レンズ１９を装着した場合、イメージセンサ１５で得られた画像を歪無し画像に変換し、次に光学式位置計測装置１０のアルゴリズムでマーカー２０の三次元位置情報を計算・推定する。魚眼レンズ１９により視野角が広がることから、垂直・水平両方向に計測領域を広げることが可能となる。
【００３４】
図６は、左右の光検出器１３Ｌ，１３Ｒにおけるイメージセンサ１５での画像イメージを示したものである。尚、図５の実施形態において、自発光型のマーカーを利用することも可能である。この場合、イメージセンサ１５は赤外線だけを感知するＣＣＤまたはＣ−ＭＯＳセンサを使用し、赤外線光源１６は不要となる。
【００３５】
このように、本発明の第２の実施形態による光学式位置計測装置は、魚眼レンズ１９を付加することで計測領域の拡大が可能となり、計測領域を見込む視野角を垂直・水平方向に広げることができ、測定する上での死角を減少することができる。
【実施例３】
【００３６】
次に本発明の光学式位置計測装置の第３の実施形態を図７，図８を参照して説明する。図７の光学式位置計測装置１０は、支持台１１と、支持台１１を支えるスタンド１２と、支持台１１の左右に配置された光検出器２１Ｌ，２１Ｒと、光検出器２１Ｌと２１Ｒの間に配置した遮光板１４を有している。
【００３７】
そして、光検出器２１Ｌ，２１Ｒを同期して垂直軸周りに回動可能にしたものである。光検出器２１Ｌと２１Ｒは同一の構成であり、それぞれＣＣＤ、Ｃ−ＭＯＳ等で成るイメージセンサ１５と、イメージセンサ１５の受光部周辺を取り囲むように配置した赤外線ＬＥＤ等からなる赤外線光源１６と、イメージセンサ１５の受光面に設けた光学フィルタ１７とで構成されており、光検出器２１Ｌ、２１Ｒは透光性の筐体２２内に取り付けられ、垂直軸周りに回転可能に支持されている。あるいは、筐体２２も一緒に回動する構造としても良い。
【００３８】
光検出器２１Ｌ、２１Ｒは、それぞれモータ２３Ｌ，２３Ｒによって回転可能となっており、光検出器２１Ｌ、２１Ｒの回転角の情報を同時に取得できるように角度検出器２４Ｌ，２４Ｒを設けている。回動範囲は概ね一周の往復運動（首振り）であってもよいし３６０度の連続回転運動であってもよい。
【００３９】
光検出器２１Ｌ、２１Ｒのイメージセンサ１５での画像取得のタイミングがずれないようにするため、左右の光検出器２１Ｌ、２１Ｒの回転運動は同期し且つ同じ向きに回転動作をすることが望ましい。
【００４０】
図８で示すように、赤外線光源１６から放射された赤外光は、計測領域内に置かれた反射マーカー２０で反射され、反射光はイメージセンサ１５で検出され、左右のイメージセンサ１５からは歪のない画像が直接得られる。この場合、光検出器２１Ｌ、２１Ｒは回転しながらマーカー２０の位置を検出するため、計測領域の拡大が可能となり、マーカー位置を測定する際の死角を減らすことができる。
【００４１】
尚、図７の実施形態において、自発光型のマーカーを利用することも可能である。この場合、イメージセンサ１５は赤外線だけを感知するＣＣＤまたはＣ−ＭＯＳセンサを使用し、赤外線光源１６は不要となる。
【００４２】
次に第３の実施形態の変形例を図９，図１０を参照して説明する。図９は、図７に示す光検出器２１Ｌ、２１Ｒを垂直方向に向け、光検出器２１Ｌ、２１Ｒをそれぞれモータ２５Ｌ，２５Ｒによって水平軸周りに回動可能にしたものであり、回転角の情報を同時に取得できるように角度検出器２６Ｌ，２６Ｒを設けている。これにより垂直方向の計測領域を拡大することができる。回動範囲は概ね一周の往復運動であってもよいし３６０度の連続回転運動であってもよいが、支持台１１によって撮影できない領域があるため、撮影不能領域を避けた角度範囲で往復回転（首振り）させると良い。
【００４３】
図１０は、図９に示す光検出器２１Ｌ、２１Ｒを、それぞれモータ２５Ｌ，２５Ｒによって水平軸周りに回動可能にし、さらに光検出器２１Ｌ、２１Ｒを、それぞれモータ２７Ｌ，２７Ｒによって垂直軸周りに回動可能にしたものであり、水平・垂直の両方向に計測領域を拡大したものである。
【００４４】
この例の場合、光検出器２１Ｌ、２１Ｒの水平軸周りの回転角の情報を同時に取得できるように角度検出器２６Ｌ，２６Ｒを設け、垂直軸周りの回転角の情報を同時に取得できるように角度検出器２８Ｌ，２８Ｒを設けている。尚、モータ２５Ｌ，２５Ｒはそれぞれ断面Ｕ字状の回転台２９Ｌ，２９Ｒに取付けられ、この回転台２９Ｌ，２９Ｒをモータ２７Ｌ，２７Ｒによって垂直軸周りに回転するようにしている。また、光検出器２１Ｌと２１Ｒの間に干渉防止用の遮光板１４を配置している。
【００４５】
このように光検出器２１Ｌ、２１Ｒを水平軸周り及び垂直軸周りに回動可能にした場合、マーカー２０の測定がリアルタイムでなくなるが、首振りまたは連続回転時の回転角度を画像撮影に同期させて収集することで、位置計測領域の拡大が可能になる。したがって計測領域の拡大により、マーカー位置を測定する際の死角を減らすことができる。また、このような位置測定装置を複数台用いてマーカー２０の位置を測定する場合には、計測領域が拡大するため各位置測定装置の計測領域をオーバーラップさせる必要がなくなるため、設置条件が緩和される。
【実施例４】
【００４６】
さらに本発明の光学式位置計測装置の第４の実施形態について説明する。第４の実施形態は図１１で示すように、複数台の位置計測器３１，３２…３ｎを同時に使用するものである。
【００４７】
位置計測器３１，３２…３ｎはいずれも同じ構成を有し、位置計測器３ｎを代表に説明する。位置計測器３ｎは、支持台１１と、支持台１１を支えるスタンド１２と、支持台１１の左右に配置された光検出器１３Ｌ，１３Ｒを有している。
【００４８】
光検出器１３Ｌ、１３Ｒは、それぞれＣＣＤ、Ｃ−ＭＯＳ等で成るイメージセンサ１５と、イメージセンサ１５の受光部周辺を取り囲むように配置した赤外線ＬＥＤ等からなる赤外線光源１６と、イメージセンサ１５の受光面に設けた光学フィルタ１７とで構成されている。或いは図１、図５の光検出器１３Ｌ、１３Ｒのように双曲線ミラー１８、又は魚眼レンズ１９を配置したものであっても良い。
【００４９】
各位置計測器３１，３２…３ｎの赤外線光源１６から放射された赤外光は、計測領域内に置かれた複数の反射マーカー２０で反射され、反射光はそれぞれの位置計測器３１，３２…３ｎのイメージセンサ１５で検出される。複数の反射型マーカー２０は、被検体の患部に付され、図２と同様の再帰性塗料が塗布された球体である。
【００５０】
従来のように位置計測装置１台でマーカー位置を計測した場合には、視線方向が１方向に限られていたため計測時に死角が発生しやすかったが、複数台の位置計測器３１，３２…３ｎでマーカー２０を測定することにより、死角を減らすことができる。
【００５１】
このように複数の位置計測器３１，３２…３ｎを使用してマーカー２０を撮影する場合、それぞれの位置計測器３１，３２…３ｎから放射される赤外線が同じ波長であると誤認識を誘発する確率が高くなる。例えば図１２のように反射型マーカー２０に対して２台の位置計測器３１，３２が配置され、マーカー以外の反射物体４０（例えば術具）が計測領域に紛れ込んでいる場合を考える。このとき第１の位置計測器３１には、第２の位置計測器３２の赤外線光源１６で照らされたマーカー以外の反射物体４０からの光が偶然入ってくる可能性がある。このため、反射物体４０をマーカー２０と誤認識する可能性が高くなる。
【００５２】
このため、マーカー２０が現在どの位置計測器によって測定されているかという情報が必要になる。そこで図１１の実施形態では、赤外線光源１６の波長帯域をそれぞれの位置計測器３１，３２…３ｎ毎に制限するようにしている。即ち、赤外線光源１６としてＬＥＤを使う場合は、近赤外線に限定すると、図１３で示すように、波長が７８０ｎｍ〜１５５０ｎｍの範囲内にあり、それぞれ中心波長λ１，λ２…λｎが異なり、波長帯域幅が例えば３０ｎｍ〜１００ｎｍのＬＥＤを、各位置計測器３１，３２…３ｎに使用する。このようなＬＥＤとしては、例えばスペクトロライト株式会社から市販されている“ＳＰＬ−１００”シリーズがある。
【００５３】
或いは、各位置計測器３１，３２…３ｎの赤外線光源１６として多少波長帯域幅の広いＬＥＤを使用し、各位置計測器３１，３２…３ｎの光学フィルタ１７の帯域幅をそれぞれ異ならせた狭帯域干渉フィルタとしても良い。狭帯域干渉フィルタとしては、例えばエドモンドオプティックスジャパン株式会社から市販されている、中心波長３３４ｎｍ〜１０６４ｎｍ、半値全幅１０ｎｍのものがある。
【００５４】
受光するＣＣＤやＣ−ＭＯＳ等のイメージセンサ１５は、感度波長帯域が広いものが多いので、その前方に中心波長が一致する狭帯域干渉フィルタ１７を設けることにより、各位置計測器３１，３２…３ｎ毎に波長の割り当てを実現することができる。
【００５５】
このようにして複数台の位置計測器３１，３２…３ｎの放射・受光波長を位置計測器毎に異なるように割り当てることにより、例えば第１の位置計測器３１は、それ以外の位置計測器３２，３３…３ｎとの混信を回避できる。また偶然赤外線を発する物体があっても波長領域が制限されていることから誤認識を避けられる確率が高くなる。
【００５６】
即ち、この実施形態では、混信を避ける方法として、赤外線波長の割り当てという手段をとったものである。例えば同一の位置計測器の左右イメージセンサに対しては、同一波長で且つ帯域幅が狭いＬＥＤを放射光源に利用する。また、イメージセンサ自体は感度波長がブロードなので、その前面に狭帯域干渉フィルタを付加する。これにより、他の位置計測装置からの放射された赤外線はイメージセンサでは撮影されないため混信を避けることができる。
【００５７】
さらに図１４は、図１１と同様に複数の位置計測器３１，３２…３ｎを使用してマーカー２０の位置を測定する場合の変形例を示したもので、マスタークロックを利用して各位置計測器３１，３２…３ｎでの測定タイミングを時分割で制御し、位置計測器３１，３２…３ｎ毎に異なる動作タイミングでマーカー２０の位置を計測するようにしたものである。このように位置計測器３１，３２…３ｎの動作タイミングを割り当てることにより、図１１の例のように位置計測器毎に赤外線波長や狭帯域干渉フィルタの特性を変えることなく測定が可能となり、混信を避けることができる。この場合、複数の位置計測器３１，３２…３ｎからの位置情報をＰＣ（パーソナルコンピュータ）で一括して集め、一元管理することでマーカー２０の位置を計測することができる。
【００５８】
このように、第４の実施形態では、複数台の位置計測器に対して赤外線の波長割り当て、もしくは時分割による位置計測のタイミング割り当てを行うことで、マーカーが受動型／能動型にかかわらず、混信を低減することができる。
【００５９】
また、図１５は更なる変形例を示したものである。図１５の光学位置測定装置は、複数の位置計測器４１，４２…を使用して複数のマーカー２０の位置を測定する場合の変形例を示したもので、各位置計測器４１，４２…は、図１の実施形態で用いた双曲線ミラー１８を利用した光検出器１３Ｌ，１３Ｒと、遮光板１４１，１４２と、各位置計測器４１，４２…毎にそれぞれ固有のマーカーツール５１，５２…を付加した構造を有している。
【００６０】
位置計器４１，４２…は、同じ構成を有しており、図１６の位置計側器４１を代表に説明する。位置計側器４１は、支持台１１と、支持台１１を支えるスタンド１２と、支持台１１の左右に配置された光検出器１３Ｌ，１３Ｒと、光検出器１３Ｌと１３Ｒの間に配置した遮光板１４１，１４２を有している。
【００６１】
光検出器１３Ｌ、１３Ｒは、図１と同様にイメージセンサ１５と、赤外線光源１６と、光学フィルタ１７と、双曲面ミラー１８とを有して構成され、赤外線光源１５から放射された赤外線は双曲面ミラー１８で反射されて放射され、放射された赤外線は反射マーカー２０で反射され、再び双曲面ミラー１８を経由してイメージセンサ１５で検出される。
【００６２】
また、支持台１１の遮光板１４１と１４２の間には複数の反射型マーカーで構成されたマーカーツール５１が設けられている。マーカーツール５１は３個以上のマーカー（例えば不等辺三角形状を形成する３つのマーカー）から構成され、各マーカーの相対位置関係は固定されたものであり、マーカーツール５１，５２の形状（不等辺三角形の形状）は各位置計側器４１，４２…毎に異ならせることにより、マーカー２０の位置情報と各位置計測器４１，４２…の位置情報を同時に収集することができる。
【００６３】
即ち、各位置計測器４１，４２…で計測したマーカー２０の位置情報と、各位置計測器４１，４２の位置情報も得られるので、それらの情報を基により詳細なデータを得ることができる。情報量が増えることにより、位置情報誤差の標準偏差を減らすことができるため、結果的に位置計測精度の向上を図ることが可能となる。
【００６４】
今、各位置計器４１，４２…の個数ｎをｎ≧２とし、例えば図１５で示すように位置計測器４１と４２が共通の対象領域Ａ（複数のマーカー２０でなる領域）を取り囲むように配置されている場合を考える。このとき第ｍ番目のマーカー２０ｍは第１の位置計測器４１で計測され位置情報（ベクトルｒｍ１で示す）が得られる。同様にして第２の位置計測装置４２でも計測され位置情報（ベクトルｒｍ２で示す）が得られる。また、第１と第２の位置計測器４１，４２間の位置情報は、それぞれに固有のマーカーツール５１，５２によって相互間の位置情報（ベクトルｒ２１で示す）が得られる。本来、これらベクトル情報を基に以下のベクトル式（１）が成立すべきであるが、測定誤差が含まれているので常にこの式が成立するわけではない。
【数１】
0004459155.tif 000002
【００６５】
そこで、最小二乗法を用いて第ｍ番目のマーカー２０ｍの位置を推定すれば、１台の位置計測装置で計測した場合よりもｎ台で計測した方が誤差の標準偏差を１／√２倍に減らすことができる。即ち位置計測精度を向上できることになる。また第１の位置計測器４１からはマーカー２０を認識できないが、第２の位置計測器４２ならマーカー２０の位置を認識可能な場合も少なくない。このような場合、マーカー２０の位置計測の死角を低減できるというメリットが生じる。
【００６６】
こうして、各位置計測器４１，４２…にそれぞれ固有のマーカー５１，５２を付加することで、位置計測器相互の位置関係情報も収集できるため、同一マーカー２０に関連する位置情報を増加させることができる。このことからマーカーの位置計測精度を向上させることが可能となる。
【００６７】
以上述べたように、本発明では、マーカーの位置を測定する際の死角を減らすことができ、かつ死角を減らすために複数台の位置計測器を用いた場合でも誤認識を低減することができる。尚、本発明の光学式位置計測装置は、手術ナビゲーションシステムに利用可能であるが、その利用範囲は医用に特定されるものではない。また特許請求の範囲を逸脱しない範囲内で種々の変形が可能である。
【図面の簡単な説明】
【００６８】
【図１】本発明の光学式位置計測装置の一実施形態の構成を示す正面図。
【図２】同実施形態の光学式位置計測装置を示す平面図。
【図３】同実施形態の光学式位置計測装置に使用する光検出器の構成を説明する斜視図。
【図４】同実施形態の光学式位置計測装置による計測結果の一例を説明する説明図。
【図５】本発明の光学式位置計測装置の第２の実施形態の構成を示す斜視図。
【図６】第２の実施形態の光学式位置計測装置による計測結果の一例を説明する説明図。
【図７】本発明の光学式位置計測装置の第３の実施形態の構成を示す正面図。
【図８】本発明の光学式位置計測装置の第３の実施形態の構成を示す平面図。
【図９】第３の実施形態の光学式位置計測装置の変形例を示す正面図。
【図１０】第３の実施形態の光学式位置計測装置の他の変形例を示す正面図。
【図１１】本発明の光学式位置計測装置の第４の実施形態の基本構成を説明する平面図。
【図１２】複数の位置計測器を用いた場合の混信を説明するための平面図。
【図１３】第４の実施形態の光学式位置計測装置の動作を説明する説明図。
【図１４】第４の実施形態の光学式位置計測装置の変形例の動作を説明する説明図。
【図１５】第４の実施形態の光学式位置計測装置の他の変形例を説明する平面図。
【図１６】図１５の光学式位置計測装置の構成を説明する正面図。
【符号の説明】
【００６９】
１０…位置計測装置
１１…支持台
１２…スタンド
１３Ｌ，１３Ｒ…光検出器
１４…遮光板
１５…イメージセンサ
１６…赤外線光源
１７…光学フィルタ
１８…双曲線ミラー
１９…魚眼レンズ
２０…マーカー（マーク部材）
２１Ｌ，２１Ｒ…光検出器
２２…筐体
２３Ｌ，２４Ｌ，２５Ｌ，２５Ｒ，２７Ｌ，２７Ｒ…モータ
２４Ｌ，２４Ｒ，２６Ｌ，２６Ｒ，２８Ｌ，２８Ｒ…角度検出器
２９Ｌ，２９Ｒ…回転台
３１，３２，３ｎ、４１，４２…位置計測器
５１…マーカーツール
【図１】
0004459155.tif 000003
【図２】
0004459155.tif 000004
【図３】
0004459155.tif 000005
【図５】
0004459155.tif 000006
【図６】
0004459155.tif 000007
【図７】
0004459155.tif 000008
【図８】
0004459155.tif 000009
【図９】
0004459155.tif 000010
【図１０】
0004459155.tif 000011
【図１１】
0004459155.tif 000012
【図１２】
0004459155.tif 000013
【図１３】
0004459155.tif 000014
【図１４】
0004459155.tif 000015
【図１５】
0004459155.tif 000016
【図１６】
0004459155.tif 000017
【図４】
0004459155.tif 000018